(57)【要約】【課題】この発明は、手摺り案内体を弾性変形させつつ手摺り案内レールの衿状部分に仮装着させる作業を省略でき、手摺り案内体を簡易に衿状部分に装着できるマンコンベアの手摺り案内体取付治具およびそれを用いた手摺り案内体の取り付け方法を得る。【解決手段】手摺り案内体取付治具１００は、把持部２１，２４を一端側に有し、中央部より他端側をピン２５により互いに枢着されて、ピン２５を支点として開閉自在に連結された第１および第２ハンドル２０，２３と、先端に手摺り案内体の基部と耳部との連結部側を収容保持する引っ掛け部３２，３５を有し、引っ掛け部３２，３５が相対するように後端をピン２７，２８により第１および第２ハンドル２０，２３の他端にそれぞれ枢着された第１および第２フック３０，３３と、を備えている。【選択図】図１
2010215392.tif 000002
【特許請求の範囲】
【請求項１】
基部、該基部の一端から基部の一面側に折り返された耳部、および該基部の一面の他端に突設された爪部を有する断面Ｊ状の帯状体に成形され、手摺り案内レールの主部先端から幅方向の両側に延出し、かつ長さ方向に延在する衿状部分を該基部と該耳部との間に挟持し、かつ該爪部を該衿状部分の基端に係止させて該衿状部分のそれぞれに装着され、該手摺り案内レールに装着される移動手摺りが摺接する手摺り案内体を該衿状部材に取り付けるマンコンベアの手摺り案内体取付治具であって、
把持部を一端側に有し、中央部より他端側をピンにより互いに枢着されて、該ピンを支点として開閉自在に連結された第１および第２ハンドルと、
先端に上記手摺り案内体の上記基部と上記耳部との連結部側を収容保持する引っ掛け部を有し、該引っ掛け部が相対するように後端をピンにより上記第１および第２ハンドルの他端にそれぞれ枢着された第１および第２フックと、
を備えていることを特徴とするマンコンベアの手摺り案内体取付治具。
【請求項２】
スプリングが上記第１および第２ハンドルを所定の開状態に復元するように該第１および第２ハンドル間に架設されており、
上記手摺り案内体の上記基部と上記耳部との連結部側が上記第１および第２フックの上記引っ掛け部に収容保持されている時、該手摺り案内体が上記衿状部分のそれぞれに装着されている状態では、上記第１および第２ハンドルは上記所定の開状態に復元し、該手摺り案内体が上記衿状部分のそれぞれに対して装着開始位置に位置している状態では、該第１および第２ハンドルは上記スプリングに復元力を発生させながら上記所定の開状態より広い開状態となるように構成されている請求項１記載のマンコンベアの手摺り案内体取付治具。
【請求項３】
上記請求項１又は請求項２記載のマンコンベアの手摺り案内体取付治具を用いて上記手摺り案内体を上記手摺り案内レールの上記衿状部分に取り付ける方法であって、
上記第１および第２ハンドルを広げて、上記第１および第２フック内に上記手摺り案内レールを位置させるように上記手摺り案内体取付治具を配置する工程と、
上記手摺り案内体の上記基部と上記耳部との連結部側を上記第１および第２フックの上記引っ掛け部に収容保持させて上記第１および第２ハンドルを閉じ、該手摺り案内体を装着開始位置に位置させる工程と、
上記第１および第２ハンドルを更に閉じて、上記第１および第２フックを介して上記手摺り案内体を上記手摺り案内レール側に押圧し、該手摺り案内体を上記衿状部材のそれぞれに装着する工程と、
を有することを特徴とするマンコンベアの手摺り案内体の取り付け方法。
【請求項４】
上記手摺り案内レールの上記衿状部分のそれぞれに装着された上記手摺り案内体に対して遊嵌状態に嵌合可能に、かつ着脱自在に、かつ該衿状部分のそれぞれに対して未着装の該手摺り案内体を装着開始位置に保持可能に構成されている案内体保持クリップを、該手摺り案内体の該衿状部分のそれぞれに装着されている部位に装着する工程と、
上記手摺り案内体の上記衿状部分のそれぞれに装着されている部位に装着されている上記案内体保持クリップを上記手摺り案内レールに沿ってスライド移動させ、該手摺り案内体の該衿状部分のそれぞれに対して未装着の部位を、該衿状部分のそれぞれに対して装着開始位置に保持する工程と、
をさらに備えていることを特徴とする請求項３記載のマンコンベアの手摺り案内体の取り付け方法。
【発明の詳細な説明】
【技術分野】
【０００１】
この発明は、エスカレータや動く歩道等のマンコンベアの移動手摺りを案内する手摺り案内レールに、移動手摺りとの摺動部分である案内体を取り付けるための手摺り案内体取付治具およびそれを用いた手摺り案内体の取り付け方法に関するものである。
【背景技術】
【０００２】
従来の手摺り案内体取付治具は、その左右両内面にローラを設けた保持部材を、両端に把手を備えた腕状部材の中央に固定して構成されている（例えば、特許文献１参照）。そして、従来の手摺り案内体取付治具を、クリップガイド（案内体）が衿状部分に左右両側から仮装着されている手摺り案内レールに被せ、ローラによってクリップガイドごと手摺り案内レールの衿状部分を左右から挟み込み、把手を操作して腕状部材を回転させることでローラによりクリップガイドを押し付け、その爪状部分を手摺り案内レールの屈曲と係合させて、クリップガイドを手摺り案内レールに装着している。
【先行技術文献】
【特許文献】
【０００３】
【特許文献１】特開２０００−２８９９６６号公報
【発明の概要】
【発明が解決しようとする課題】
【０００４】
従来の手摺り案内体取付治具では、手摺り案内レールの衿状部分に仮装着されているクリップガイドの爪状部分を手摺り案内レールの屈曲に係合させるものであった。そこで、作業者は、従来の手摺り案内体取付治具によりクリップガイドの爪状部分を手摺り案内レールの屈曲に係合させるのに先だって、手作業によりクリップガイドを手摺り案内レールの衿状部分に仮装着させる必要があった。このクリップガイドの仮装着とは、クリップガイドが手摺り案内レールの衿状部分の大部分を覆っているが、その爪状部分が手摺り案内レールの屈曲に係合していない状態であることから、作業者は、クリップガイドを弾性変形させつつ手摺り案内レールの衿状部分に仮装着させることになり、作業負荷が増大するという課題があった。
【０００５】
本発明は、上記のような課題を解決するためになされたものであり、手摺り案内体を弾性変形させつつ手摺り案内レールの衿状部分に仮装着させる作業を省略でき、手摺り案内体を簡易に衿状部分に装着できるマンコンベアの手摺り案内体取付治具およびそれを用いた手摺り案内体の取り付け方法を得ることを目的とする。
【課題を解決するための手段】
【０００６】
本発明に係るマンコンベアの手摺り案内体取付治具は、基部、該基部の一端から基部の一面側に折り返された耳部、および該基部の一面の他端に突設された爪部を有する断面Ｊ状の帯状体に成形され、手摺り案内レールの主部先端から幅方向の両側に延出し、かつ長さ方向に延在する衿状部分を該基部と該耳部との間に挟持し、かつ該爪部を該衿状部分の基端に係止させて該衿状部分のそれぞれに装着され、該手摺り案内レールに装着される移動手摺りが摺接する手摺り案内体を該衿状部材に取り付けるものである。そして、本手摺り案内体取付治具は、把持部を一端側に有し、中央部より他端側をピンにより互いに枢着されて、該ピンを支点として開閉自在に連結された第１および第２ハンドルと、先端に上記手摺り案内体の上記基部と上記耳部との連結部側を収容保持する引っ掛け部を有し、該引っ掛け部が相対するように後端をピンにより上記第１および第２ハンドルの他端にそれぞれ枢着された第１および第２フックと、を備えている。
【発明の効果】
【０００７】
本発明によれば、第１および第２ハンドルが中央部より他端側をピンにより互いに枢着されて、ピンを支点として開閉自在に連結されているので、倍力機構となり、小さな力で手摺り案内体を衿状部材に装着することができる。
また、手摺り案内体の基部と耳部との連結部側を収容保持する引っ掛け部を先端に有する第１および第２フックが、後端をピンにより第１および第２ハンドルの他端にそれぞれ枢着されているので、未装着の手摺り案内体を両引っ掛け部に保持させて、装着開始位置に位置させることできる。そこで、手摺り案内体を弾性変形させつつ手摺り案内レールの衿状部分に仮装着させる作業が不要となり、手摺り案内体の装着作業性が向上され、手摺り案内体を簡易に装着できるとともに、作業負荷が軽減される。
【図面の簡単な説明】
【０００８】
【図１】この発明の実施の形態１に係るエスカレータの手摺り案内体取付治具の構成を説明する斜視図である。
【図２】この発明の実施の形態１に係るエスカレータの手摺り案内体取付治具による案内体の取り付け方法を説明する工程図である。
【図３】この発明の実施の形態１に係るエスカレータの手摺り案内体取付治具による案内体の取り付け方法の実施態様を説明する工程図である。
【図４】エスカレータの構成を示す模式図である。
【図５】図４のＶ−Ｖ矢視断面図である。
【図６】この発明の実施の形態２に係るエスカレータの案内体保持クリップを案内体に装着した状態を示す断面図である。
【図７】この発明の実施の形態２に係るエスカレータの案内体保持クリップを案内体に装着した状態を示す要部斜視図である。
【発明を実施するための形態】
【０００９】
まず、本願のエスカレータの手摺り案内体取付治具について説明するに先だって、エスカレータの移動手摺り関連の構造について、図４および図５を参照しつつ説明する。ここで、図４はエスカレータの構成を示す模式図、図５は図４のＶ−Ｖ矢視断面図である。
【００１０】
図４において、エスカレータ１は、上下階間に架設された主枠２と、無端状に連結され、主枠２に設けられた踏み段３と、踏み段３を挟むように主枠２に立設された一対の欄干４と、各欄干４の外周縁部および下部側に設けられた手摺り案内レール５と、無端状に形成され、手摺り案内レール５に摺動移動可能に装着された移動手摺り８と、を備えている。そして、踏み段３が主枠２に設置された駆動機（図示せず）によって駆動されて循環移動し、乗客を一方の階の乗り口から他方の階の降り口に搬送する。このとき、移動手摺り８が、手摺り案内レール５に案内されて、踏み段３と同期して循環移動する。
【００１１】
図５において、手摺り案内レール５は、断面コ字状に作製され、往路側では開口を上方に向けて、かつ帰路側では開口を下方に向けて配設される主部６と、断面コ字状の主部６の両側壁の先端から直角に曲げられて、幅方向両側に延出し、かつ長さ方向に延在する衿状部分７と、を備えている。手摺り案内体９が、手摺り案内レール５の衿状部分７に装着されている。移動手摺り８は、断面Ｃ字状に作製され、衿状部分７に装着された手摺り案内体９を耳部８ａ内に収納するように手摺り案内レール５に装着される。そして、移動手摺り８は、手摺り案内体９に接した状態で移動し、衿状部分７の先端による内面の損傷や摩耗の発生が抑えられる。
【００１２】
この手摺り案内体９は、弾性を有する低摩擦材で作製され、所定幅を有する帯状の基部１０と、基部１０の幅方向の一側を基部１０の一面側にＪ字状に折り返して成形された耳部１１と、基部１０の一面の幅方向の他端に突設された爪部１２と、を備えている。そして、多数枚の手摺り案内体９が、それぞれ、衿状部分７の先端側を基部１０と耳部１１との間に圧入され、爪部１２を主部６の側壁の先端の内壁面（衿状部分７の基端）に係止させて、手摺り案内レール５の長さ方向に連なって手摺り案内レール５に装着されている。
【００１３】
実施の形態１．
図１はこの発明の実施の形態１に係るエスカレータの手摺り案内体取付治具の構成を説明する斜視図、図２はこの発明の実施の形態１に係るエスカレータの手摺り案内体取付治具による手摺り案内体の取り付け方法を説明する工程図である。
【００１４】
図１において、手摺り案内体取付治具１００は、それぞれ把持部２１，２４が一端に形成され、中央部より他端側をピン２５により枢着されて、ピン２５を支点として開閉可能に連結された第１および第２ハンドル２０，２３と、第１および第２ハンドル２０，２３の他端側の部分に架設され、第１および第２ハンドル２０，２３の開閉動作に応じて伸縮するスプリング２６と、第１および第２ハンドル２０，２３の他端にピン２７，２８により枢着されて、ピン２７，２８を支点として揺動可能に連結された第１および第２フック３０，３３と、を備えている。
【００１５】
また、第２ハンドル２３を挿通させる貫通穴２２が第１ハンドル２０の中央部より他端側に穿設されている。そして、第２ハンドル２３は、他端側を貫通穴２２に挿通され、該貫通穴２２を挿通している部位をピン２５により第１ハンドル２０に連結されている。
【００１６】
第１および第２フック３０，３３は、平板状の基部３１，３４と、基部３１，３４の他端をＪ字状に折り返して成形された引っ掛け部３２，３５と、を備えている。そして、第１および第２フック３０，３３は、引っ掛け部３２，３５が向き合うように、基部３１，３４の一端をピン２７，２８により第１および第２ハンドル２０，２３の他端に枢着されている。ここで、第１および第２フック３０，３３は、手摺り案内体９を衿状部分７に装着する過程で、基部１０と耳部１１とが最も口開き状に弾性変形した状態の手摺り案内体９の外形形状より大きな内形形状に形成されている。
【００１７】
このように構成された手摺り案内体取付治具１００は、初期状態では、第１および第２ハンドル２０，２３の他端間がスプリング２６に復元力が生じない所定の距離になっている。すなわち、初期状態では、第1および第2ハンドル２０，２３は、スプリング２６に復元力が生じない所定の開状態となっている。そして、把持部２１，２４を持って第１および第２ハンドル２０，２３の一端側を閉じると、第１および第２ハンドル２０，２３の他端側が、スプリング２６を収縮させながら閉じられる。そして、第１および第２ハンドル２０，２３の一端側を閉じる力をなくすと、スプリング２６の復元力により、第１および第２ハンドル２０，２３の他端間が所定の距離に保たれる初期状態に復帰する。
【００１８】
つぎに、この手摺り案内体取付治具１００を用いた手摺り案内体９の取り付け方法について図２を参照しつつ説明する。
【００１９】
まず、作業者が、第１および第２ハンドル２０，２３を広げて、手摺り案内レール５が第１および第２フック３０，３３間に位置するように手摺り案内体取付治具１００を配置させる。そして、もう１人の作業者が手摺り案内体９を持って手摺り案内レール５の幅方向の両側で、手摺り案内体９を第１および第２フック３０，３３のそれぞれに引っ掛ける。このとき、各手摺り案内体９は、図２の（ａ）に示されるように、基部１０と耳部１１との連結部側が第１および第２フック３０，３３内に挿入されて、衿状部分７に対して装着開始位置に位置するように手摺り案内体取付治具１００に保持される。ここで、手摺り案内体９の衿状部分７に対する装着開始位置とは、耳部１１の先端が衿状部分７の下面に接し、かつ基部１０の内面（耳部１１に相対する面）が衿状部分７の先端に接し、或いは爪部１２が衿状部分７の上面に接し、手摺り案内体９が弾性変形していない、或いは僅かに弾性変形している状態を意味する。
【００２０】
ついで、把持部２１，２４を持って第１および第２ハンドル２０，２３を閉じる。これにより、第１および第２ハンドル２０，２３の他端間が狭くなり、第１および第２フック３０，３３が手摺り案内レール５の幅方向の中央側に引っ張られる。この第１および第２フック３０，３３の動作により、手摺り案内体９は、図２の（ｂ）に示されるように、衿状部分７が手摺り案内体９を弾性変形させつつ基部１０と耳部１１との間に押し込まれて、手摺り案内レール５の幅方向の中央側に移動する。
【００２１】
そして、把持部２１，２４が突き合わされるまで第１および第２ハンドル２０，２３を閉じると、爪部１２が手摺り案内レール５の衿状部分７を超える。そこで、爪部１２は弾性復元力により主部６内に進入し、図２の（ｃ）に示されるように、主部６の側壁の先端の内壁面に係止される。これにより、手摺り案内体９の当該部分が手摺り案内レール５に装着される。ここで、手摺り案内体９の装着とは、衿状部分７が基部１０と耳部１１との間に圧入され、基部１０の他端に突設された爪部１２が主部６の側壁の先端の内壁面（衿状部分７の基端）に係止されている状態を意味する。
【００２２】
ついで、第１および第２ハンドル２０，２３を閉じる力を弱めると、スプリング２６の復元力が放勢され、第１および第２ハンドル２０，２３が初期状態に復帰する。このとき、第１および第２フック３０，３３は、図２の（ｄ）に示されるように、手摺り案内レール５に装着された手摺り案内体９に自重のみで接する状態となり、手摺り案内体取付治具１００は手摺り案内レール５に沿ってスライド移動可能となる。
【００２３】
ついで、もう１人の作業者は、少し離れた手摺り案内体９の未装着部分を手で持って手摺り案内体９を装着開始位置に保持する。そして、作業者は、手摺り案内体取付治具１００を手摺り案内レール５に沿って装着開始位置に保持されている手摺り案内体９の未装着部分にスライド移動させる。これにより、手摺り案内体９の未装着部分は、図２の（ａ）に示されるように、衿状部分７に対して装着開始位置に位置するように手摺り案内体取付治具１００に保持される。ついで、図２の（ｂ）、（ｃ）に示されるように、把持部２１，２４が突き合わされるまで第１および第２ハンドル２０，２３を閉じ、爪部１２を主部６の側壁の先端の内壁面に係止させる。
【００２４】
これらの操作を繰り返し行い、両手摺り案内体９の全体を手摺り案内レール５に装着した後、第１および第２ハンドル２０，２３を開けて、図２の（ｅ）に示されるように、第１および第２フック３０，３３を広げ、手摺り案内体取付治具１００を取り外す。
【００２５】
この一連の操作を繰り返して、手摺り案内体９を隣接するように手摺り案内レール５に順次装着し、手摺り案内体９を手摺り案内レール５の長さ方向に連なって手摺り案内レール５の全周に渡って装着する。
【００２６】
この実施の形態１によれば、把持部２１，２４を一端に有する第１および第２ハンドル２０，２３が中央部より先端側でピン２５により枢着されている。そこで、手摺り案内体取付治具１００は倍力機構を構成し、小さな力で手摺り案内体９を手摺り案内レール５に装着できるようになり、作業負荷が軽減される。
また、手摺り案内体９を引っ掛ける第１および第２フック３０，３３が第１および第２ハンドル２０，２３の先端にピン２７，２８により枢着されているので、手摺り案内体９を保持しつつ手摺り案内レール５に装着開始位置に位置させることができる。これにより、手摺り案内体９を手摺り案内レール５に仮装着させるような手作業が不要となり、作業負荷を著しく軽減できる。
【００２７】
また、スプリング２６が第１および第２ハンドル２０，２３を所定の開状態に復元するように第１および第２ハンドル２０，２３間に架設されている。そして、手摺り案内体９の基部１０と耳部１１との連結部側が第１および第２フック３０，３３の引っ掛け部３２，３５に収容保持されている時、手摺り案内体９が衿状部分７のそれぞれに装着されている状態では、第１および第２ハンドルは所定の開状態に復元する。そこで、手摺り案内体９を装着した後、第１および第２ハンドル２０，２３を閉じる力をなくすことで、手摺り案内体取付治具１００はスライド移動可能な状態となる。また、手摺り案内体９が衿状部分７のそれぞれに対して装着開始位置に位置している状態では、第１および第２ハンドル２０，２３はスプリング２６に復元力を発生させながら所定の開状態より広い開状態となる。そこで、手摺り案内体９は、スプリング２６の復元力により、装着開始位置に安定して保持される。
【００２８】
なお、上記実施の形態１では、手摺り案内体９を手摺り案内レール５の両衿状部分７に同時に装着するものとして説明しているが、この手摺り案内体取付治具１００は、図３に示されるように、一方の衿状部分７に装着されている手摺り案内レール５の他方の衿状部分７に手摺り案内体９を装着する場合にも適用できる。
【００２９】
実施の形態２．
図６はこの発明の実施の形態２に係るエスカレータの手摺り案内体保持クリップを手摺り案内体に装着した状態を示す断面図であり、図６の（ａ）は手摺り案内体の装着状態を示し、図６の（ｂ）は手摺り案内体の装着開始位置を示している。図７はこの発明の実施の形態１に係るエスカレータの手摺り案内体保持クリップを手摺り案内体に装着した状態を示す要部斜視図である。
【００３０】
図６において、手摺り案内体保持クリップ１０１は、基部４０の両端をＪ字状に折り返してなる一対の保持部４１を有する断面略Ｃ字状に作製され、一方の保持部４１の屈曲部の内壁面と他方の保持部４１の先端との隙間Ｄ１が、両衿状部分７に装着された手摺り案内体９の基部１０と耳部１１との連結部の外周面間の距離Ｌ１より広くなっている。また、一対の保持部４１の先端間の間隔Ｄ２が、両衿状部分７に装着された手摺り案内体９の基部１０と耳部１１との連結部の外周面間の距離Ｌ１より狭く、主部６の幅Ｌ２より広くなっている。さらに、保持部４１の屈曲部の内壁面間の距離Ｄ３は、両衿状部分７に対して装着開始位置に位置する手摺り案内体９の基部１０と耳部１１との連結部の外周面間の距離Ｌ３に略等しくなっている。さらにまた、保持部４１の内形形状が、衿状部分７に対して装着開始位置に位置する手摺り案内体９を保持できるように傾斜している。
【００３１】
これにより、手摺り案内体保持クリップ１０１は、手摺り案内レール５の衿状部分７に装着されている手摺り案内体９に対して遊嵌状態に嵌合可能に、かつ着脱自在に、かつ衿状部分７に対して未装着の手摺り案内体９を装着開始位置に保持可能に構成されている。
【００３２】
つぎに、手摺り案内体取付治具１００および手摺り案内体保持クリップ１０１を用いて手摺り案内体９を取り付けるについて説明する。
【００３３】
まず、図２の（ａ）〜（ｅ）の工程に従い、手摺り案内体９の長さ方向の一端部を手摺り案内レール５の両衿状部分７に装着し、手摺り案内体取付治具１００を手摺り案内レール５から取り外す。
【００３４】
ついで、図６の（ａ）に示されるように、手摺り案内体保持クリップ１０１を手摺り案内体９の装着部分に外嵌状態に取り付ける。そして、手摺り案内体保持クリップ１０１を手摺り案内レール５に沿ってスライド移動させる。これにより、衿状部分７から離反している手摺り案内体９の未装着部分が保持部４１の内壁面に係合し、手摺り案内体保持クリップ１０１の移動により衿状部分７側に押圧される。このとき、手摺り案内体９の基部１０と耳部１１との連結部が保持部４１内に収納、保持されているので、手摺り案内体９は、図６の（ｂ）に示されるように、耳部１１の先端が衿状部分７の下面に接し、基部１０の内面が衿状部分７の先端に接し、或いは爪部１２が衿状部分７の上面に接する装着開始位置に位置される。
【００３５】
このようにして、手摺り案内体保持クリップ１０１を手摺り案内体９の装着部分から手摺り案内レール５の長さ方向に移動距離を変えて順次スライド移動させ、手摺り案内体９の長さ方向に所定の間隔で配設する。これにより、手摺り案内体９の未装着部分は、図７に示されるように、手摺り案内体保持クリップ１０１により、装着開始位置に位置するように保持される。
ついで、手摺り案内体取付治具１００をスライド移動させつつ、図２の（ａ）〜（ｅ）の工程を繰り返し行い、両手摺り案内体９の全体を手摺り案内レール５に装着する。このとき、手摺り案内体９の手摺り案内体クリップ１０１が装着されている近傍を手摺り案内レール５に装着すると、手摺り案内体クリップ１０１は着脱可能な状態となり、取り外される。そこで、手摺り案内体取付治具１００を継続してスライド移動させることができる。その後、第１および第２ハンドル２０，２３を開けて、第１および第２フック３０，３３を広げ、手摺り案内体取付治具１００を取り外す。
【００３６】
この実施の形態２によれば、手摺り案内体保持クリップ１０１を手摺り案内体９の装着部分に外嵌状態に取り付け、手摺り案内レール５に沿ってスライド移動させて、手摺り案内体９の未装着部分を装着開始位置に保持しているので、手で手摺り案内体９を装着開始位置に保持する必要がなく、装着作業性が向上し、作業者の人数を少なくでき、さらに作業負荷を軽減できる。
また、手摺り案内体保持クリップ１０１を所定の間隔で複数配設しているので、手摺り案内体９の装着作業を連続して行うことができ、作業時間を短縮できる。
【００３７】
また、上記各実施の形態では、エスカレータに適用するものとして説明しているが、本発明はエスカレータ以外のマンコンベア、例えば動く歩道に適用しても、同様の効果が得られる。
【符号の説明】
【００３８】
５  手摺り案内レール、６  主部、７  衿状部分、８  移動手摺り、９  手摺り案内体、１０  基部、１１  耳部、１２  爪部、２０  第１ハンドル、２１  把持部、２３  第２ハンドル、２４  把持部、２５  ピン、２６  スプリング、２７，２８  ピン、３０  第１フック、３２  引っ掛け部、３３  第２フック、３５  引っ掛け部、１００  手摺り案内体保持治具、１０１  手摺り案内体保持クリップ。
【図１】
2010215392.tif 000003
【図２】
2010215392.tif 000004
【図３】
2010215392.tif 000005
【図４】
2010215392.tif 000006
【図５】
2010215392.tif 000007
【図６】
2010215392.tif 000008
【図７】
2010215392.tif 000009